(57)【要約】【課題】リモコン装置および操作先の操作内容を制限することができるリモコン装置および電子機器を提供する。【解決手段】リモコン１の生体認証部のセンサ部分に指で触れることで、生体認証部は、指紋を読み取る（Ｓ１）。次に、生体認証部から生体情報としての指紋情報が出力され、リモコン１の制御部は、信号受送信部を介してＰＣ２に送信する（Ｓ２）。ＰＣ２は、信号受送信部を介して指紋情報を受信し（Ｓ３）、認証部によって生体情報ＤＢと照合する（Ｓ４）。次に、ＰＣ２は、照合結果を信号受送信部を介してリモコン１に送信する（Ｓ５）。また、ＰＣ２は、照合結果に基づいてリモコン１からの操作キーの操作に応じた制御信号の受信を制限する（Ｓ６）。リモコン１は、ＰＣ２から信号受送信部を介して照合結果を受信し（Ｓ７）、リモコン１の操作キー制御部は、照合結果に基づいて操作キーの操作に応じた制御信号の送信を制限する（Ｓ８）。【選択図】図５Ａ
2009010867.tif 000002
【特許請求の範囲】
【請求項１】
生体の特徴を生体情報として読み取る生体認証部と、
前記生体情報および認証情報等の情報を送信および受信する受送信部と、
単一または複数のスイッチからなり、前記スイッチの操作に基づいた操作信号を前記受送信部に出力する操作部と、
前記生体認証部が読み取った前記生体情報を前記受送信部を介して外部に送信し、送信の応答として前記受送信部を介して外部から受信した前記認証情報に基づいて前記操作部の操作信号の出力を有効にする制御部とを有することを特徴とするリモートコントロール装置。
【請求項２】
生体の特徴を生体情報として読み取る生体認証部と、
前記生体情報および認証情報等の情報を送信および受信する受送信部と、
単一または複数のスイッチからなり、前記スイッチの操作に基づいた操作信号を前記受送信部に出力する操作部と、
前記生体認証部が読み取った前記生体情報を前記受送信部を介して外部に送信し、送信の応答として前記受送信部を介して外部から受信した前記認証情報に基づいて前記操作部の一部の操作信号の出力を有効にする制御部とを有することを特徴とするリモートコントロール装置。
【請求項３】
前記生体認証部は、前記生体情報として指紋を読み取ることを特徴とする請求項１または２に記載のリモートコントロール装置。
【請求項４】
前記外部は、生体情報データベースを有し、前記生体情報が前記生体情報データベースに一致した場合に前記操作部の操作信号の出力を有効とする情報を送信することを特徴とする請求項１または２に記載のリモートコントロール装置。
【請求項５】
生体の特徴を読み取り、生体情報として送信するリモートコントロール装置と、
前記リモートコントロール装置の送信した前記生体情報を受信し、前記生体情報に基づいて前記リモートコントロール装置の操作信号の出力を有効化する操作有効化信号を送信する本体とを有し、
前記リモートコントロール装置は、前記操作有効化信号を受信して、前記操作有効化信号に基づき前記本体への操作信号の出力を有効化することを特徴とする電子機器。
【請求項６】
前記リモートコントロール装置は、前記生体情報として指紋を読み取ることを特徴とする請求項５に記載の電子機器。
【請求項７】
前記本体は、生体情報データベースを有し、前記生体情報が前記生体情報データベースに一致した場合に前記操作有効化信号を送信することを特徴とする請求項５に記載の電子機器。
【請求項８】
前記本体は、複数のプログラムを有し、受信した前記生体情報に基づいて前記複数のプログラムの一部を無効とすることを特徴とする請求項５に記載の電子機器。
【発明の詳細な説明】
【技術分野】
【０００１】
本発明は、リモートコントロール（以下、リモコン）装置および電子機器に関する。
【背景技術】
【０００２】
従来の技術として、指紋入力部を有し、指紋入力部が読み取った指紋情報が認証成功した場合に、操作部が有効となるリモコン装置がある（例えば、特許文献１参照）。
【０００３】
このリモコン装置は、指紋を読み取って指紋情報を出力する指紋入力部と、予め登録された指紋情報を記憶する指紋登録部と、指紋入力部から入力された指紋情報と登録された指紋情報とを照合する指紋照合部と、操作部を有効または無効の状態に制御するリモコン制御部を有する。このリモコン装置は、指紋入力部が読み取った指紋情報が指紋登録部に登録された指紋情報と一致するものと指紋照合部が判断した時、認証成功とし、リモコン制御部が操作部の操作を有効とする。
【０００４】
この特許文献１のリモコン装置によると、指紋情報によってリモコン装置の操作内容を制限できるため、リモコン装置のセキュリティを向上することができる。
【特許文献１】特開２００６−１８０３７９号公報
【発明の開示】
【発明が解決しようとする課題】
【０００５】
しかし、従来のリモコン装置によると、指紋情報によってリモコン装置の操作内容を制限することはできるが、リモコン装置の操作先の電子機器との対応を制限できないため、リモコン装置の本来の操作先の電子機器以外に、同一のリモコンコードを有する電子機器が他に存在した場合、リモコン装置の認証さえ得られればその電子機器を操作でき、電子機器それぞれに対して操作および被操作の対応を制限できないという問題がある。
【０００６】
従って、本発明の目的は、リモコン装置および操作先の操作内容を制限することができるリモコン装置および電子機器を提供することにある。
【課題を解決するための手段】
【０００７】
（１）本発明は上記目的を達成するため、生体の特徴を生体情報として読み取る生体認証部と、前記生体情報および認証情報等の情報を送信および受信する受送信部と、単一または複数のスイッチからなり、前記スイッチの操作に基づいた操作信号を前記受送信部に出力する操作部と、前記生体認証部が読み取った前記生体情報を前記受送信部を介して外部に送信し、送信の応答として前記受送信部を介して外部から受信した前記認証情報に基づいて前記操作部の操作信号の出力を有効にする制御部とを有することを特徴とするリモートコントロール装置を提供する。
【０００８】
上記した構成によれば、リモートコントロール装置は、操作先である外部に生体情報を送信し、外部からの応答に基づいてリモートコントロール装置の操作を有効にするため、リモートコントロール装置と操作先との対応を制限でき、操作内容を制限することができる。
【０００９】
（２）また、本発明は上記目的を達成するため、生体の特徴を生体情報として読み取る生体認証部と、前記生体情報および認証情報等の情報を送信および受信する受送信部と、単一または複数のスイッチからなり、前記スイッチの操作に基づいた操作信号を前記受送信部に出力する操作部と、前記生体認証部が読み取った前記生体情報を前記受送信部を介して外部に送信し、送信の応答として前記受送信部を介して外部から受信した前記認証情報に基づいて前記操作部の一部の操作信号の出力を有効にする制御部とを有することを特徴とするリモートコントロール装置を提供する。
【００１０】
上記した構成によれば、（１）と同様の効果をリモートコントロール装置の操作の一部に適用できる。
【００１１】
（３）また、本発明は上記目的を達成するため、生体の特徴を読み取り、生体情報として送信するリモートコントロール装置と、前記リモートコントロール装置の送信した前記生体情報を受信し、前記生体情報に基づいて前記リモートコントロール装置の操作信号の出力を有効化する操作有効化信号を送信する本体とを有し、前記リモートコントロール装置は、前記操作有効化信号を受信して、前記操作有効化信号に基づき前記本体への操作信号の出力を有効化することを特徴とする電子機器を提供する。
【００１２】
上記した構成によれば、（１）と同様の効果を有するリモートコントロール装置を含む電子機器を提供できる。
【発明の効果】
【００１３】
本発明によれば、リモコン装置および操作先の操作内容を制限することができる。
【発明を実施するための最良の形態】
【００１４】
以下に、本発明の実施の形態を、図面を参照して詳細に説明する。
【００１５】
（構  成）
図１は、本発明の実施の形態に係る電子機器としてのＰＣ（Personal Computer）とリモコン装置を示す概略図である。
【００１６】
リモコン１は、信号受送信部１０を介してＰＣ２に対して信号を送信することでＰＣ２のテレビ機能、オーディオ機能、およびビデオ機能を操作することができる。
【００１７】
リモコン１は、ＰＣ２と赤外線通信することによって信号を受送信する信号受送信部１０と、ライン状のセンサ部を指３で走査することにより指紋を読み取る生体認証部１２と、複数のスイッチからなる操作キー１３と、接続情報やメッセージ等を表示する表示部１４とを有する。
【００１８】
ＰＣ２は、内部にＣＰＵ（Central Processing Unit）やＨＤＤ（Hard Disc Drive）等のデバイスを収容する下部筐体２Ａと、ＬＣＤ（Liquid Crystal Display）からなる表示部２６を有する上部筐体２Ｂとから構成され、下部筐体２Ａと上部筐体２Ｂはヒンジ部２Ｃによって回動可能に接続されている。下部筐体２Ａは、ライン状のセンサ部を指３で走査することにより指紋を読み取る生体認証部２２と、英数字や記号等の文字を入力可能なキーボード２４ａと表示部２６に表示されるカーソル等を操作するトラックパッド２４ｂと電源を投入する電源スイッチ２４ｃとからなる操作部２４と、音声を出力するスピーカ２７ａとを有する。上部筐体２Ｂは、リモコン１の信号受送信部１０と赤外線通信することによって信号を受送信する信号受送信部２０を有する。
【００１９】
図２（ａ）および（ｂ）は、本発明の実施の形態に係るＰＣとリモコン装置を示す概略ブロック図である。
【００２０】
図２（ａ）に示すように、リモコン１は、ＰＣ２と赤外線通信により信号を受送信する赤外線通信部１０Ａを有する信号受送信部１０と、リモコン１内の各部を制御する制御部１１と、指紋を読み取り生体情報としての指紋情報を出力する生体認証部１２と、複数のスイッチからなる操作キー１３と、制御部１１の制御信号に基づいて接続情報やメッセージ等を表示する表示部１４とを有する。
【００２１】
操作キー制御部１１ａは、操作キー１３の入力操作を有効または無効に設定する。
【００２２】
図２（ｂ）に示すように、ＰＣ２は、リモコン１と赤外線通信により信号を受送信する赤外線通信部２０Ａを有する信号受送信部２０と、ＰＣ２内の各部を制御する制御部２１と、指紋を読み取り生体情報としての指紋情報を出力する生体認証部２２と、図示しないアンテナを介して電波を受信して復調するチューナ２３と、キーボード２４ａ、トラックパッド２４ｂ、および電源スイッチ２４ｃからなる操作部２４と、コンテンツおよび各種データを格納する記憶部２５と、ＬＣＤパネルからなる表示部２６と、スピーカ２７ａからなる音声出力部２７とを有する。
【００２３】
認証部２１ａは、信号受送信部２０を介してリモコン１から受信した指紋情報を認証し、認証結果を再び信号受送信部２０を介してリモコン１に送信する。また、生体情報ＤＢ２５ａは、認証部２１ａが指紋情報を認証する際に参照するデータである。
【００２４】
図３は、本発明の実施の形態に係る生体情報ＤＢ（Data Base）を概略的に示す図表である。
【００２５】
生体情報ＤＢ２５ａは、予め生体認証部２２で指３を走査することにより入力した指紋情報に対して、リモコンＩＤ、および有効にするリモコンの操作キーを関連づけている。生体情報２５０は、指紋情報に対し、リモコンＩＤ「ａｂｃ０００１」が関連づけられ、認証された場合には、リモコンＩＤ「ａｂｃ０００１」のすべての操作キーが有効となる（「Ａｌｌ」）。また、生体情報２５１は、指紋情報に対し、リモコンＩＤ「ａｂｃ０００１」が関連づけられ、認証された場合には、リモコンＩＤ「ａｂｃ０００１」の操作キーのうち、チャンネルキー（「ＣＨ  ｋｅｙ」）、ボリュームキー（「Ｖｏｌ  ｋｅｙ」）、および電源キー（「Ｐｗｒ  ｋｅｙ」）が有効となる。なお、関連づけられた操作キー以外は、操作無効となる。
【００２６】
図４（ａ）〜（ｄ）は、本発明の実施の形態に係るリモコン装置の表示部に表示される表示例を示す概略図である。
【００２７】
リモコン１が認証を行っていない場合、任意の操作キー１３を押下すると図４（ａ）に示すように、制御部１１は、リモコン１の表示部１４に生体認証を促すメッセージ１４０を表示する。
【００２８】
次に、生体認証部１２のセンサ部分を指３で走査することで、生体認証部１２が指紋を読み込み、制御部１１は、指紋情報を信号受送信部１０を介してＰＣ２に送信する。ＰＣ２は、信号受送信部２０を介して指紋情報を受信し、認証部２１ａによって生体情報ＤＢ２５ａと照合する。以上の動作の間、図４（ｂ）に示すように、リモコン１の表示部１４に認証中を示すメッセージ１４１を表示する。
【００２９】
生体認証部１２に読み込まれた指紋情報が生体情報ＤＢ２５ａに存在して、認証に成功すると、認証部２１ａは、信号受送信部２０を介してリモコン１に操作キー有効化信号を送信する。リモコン１が、信号受送信部１０を介して操作キー有効化信号を受信すると、操作キー制御部１１ａは、操作キー有効化信号に基づいて操作キー１３の操作を有効にし、図４（ｃ）に示すように、制御部１１は、リモコン１の表示部１４に認証に成功した旨を示すメッセージ１４２を表示する。また、同時に、認証が成功して接続された機器を示す接続機器アイコン１４３を表示する。
【００３０】
生体認証部１２に読み込まれた指紋情報が生体情報ＤＢ２５ａに存在せず、認証に失敗すると、認証部２１ａは、信号受送信部２０を介してリモコン１に操作キー無効化信号を送信する。リモコン１が、信号受送信部１０を介して操作キー無効化信号を受信すると、操作キー制御部１１ａは、操作キー無効化信号に基づいて操作キー１３の操作を有効にせず、図４（ｄ）に示すように、制御部１１は、リモコン１の表示部１４に認証に失敗した旨を示すメッセージ１４４を表示する。
【００３１】
（動  作）
以下に、本発明の実施の形態における動作を各図を参照して説明する。
【００３２】
まず、ＰＣ２の生体認証部２２のセンサ部分を指３で走査することで、生体認証部１２は、指紋を読み取る。次に、生体認証部２２から指紋情報が出力され、指紋情報は記憶部２５の生体情報ＤＢ２５ａに登録される。生体情報ＤＢ２５ａに指紋情報が登録される際に、キーボード２４ａおよびトラックパッド２４ｂを用いて対応づけたいリモコンのＩＤおよび有効にしたリモコンの操作キーを登録する。
【００３３】
図５Ａは、本発明の実施の形態に係るＰＣおよびリモコン装置の動作を示すフローチャートである。
【００３４】
指３によって生体認証部１２に触れることで、生体認証部１２は、指紋を読み取る（Ｓ１）。次に、生体認証部１２から指紋情報が出力され、制御部１１は、信号受送信部１０を介してＰＣ２に送信する（Ｓ２）。
【００３５】
ＰＣ２は、信号受送信部２０を介して指紋情報を受信し（Ｓ３）、認証部２１ａによって生体情報ＤＢ２５ａと照合する（Ｓ４）。次に、照合結果を信号受送信部２０を介してリモコン１に送信する（Ｓ５）。また、ＰＣ２は、照合結果に基づいてリモコン１からの操作キー１３の操作に応じた制御信号の受信を制限する（Ｓ６）。
【００３６】
リモコン１は、ＰＣ２から信号受送信部１０を介して照合結果を受信し（Ｓ７）、操作キー制御部１１ａは、照合結果に基づいて操作キー１３の操作に応じた制御信号の送信を制限する（Ｓ８）。
【００３７】
図５Ｂは、本発明の実施の形態に係るＰＣの動作を示すフローチャートである。以下の説明は、図５ＡのＳ５およびＳ６における動作の詳細である。
【００３８】
Ｓ４において、指紋情報が生体情報ＤＢ２５ａに存在して、認証部２１ａが認証に成功すると（Ｓ１０；Ｙｅｓ）、認証部２１ａは、信号受送信部２０を介してリモコン１に操作キー有効化信号を送信する（Ｓ１１）。次に、認証部２１ａは、リモコン１から送信される操作信号の受信を許可するよう信号受送信部１０を設定する（Ｓ１２）。
【００３９】
また、Ｓ４において、指紋情報が生体情報ＤＢ２５ａに存在せず、認証部２１ａが認証に失敗すると（Ｓ１０；Ｎｏ）、認証部２１ａは、信号受送信部２０を介してリモコン１に操作キー無効化信号を送信する（Ｓ１３）。次に、認証部２１ａは、リモコン１から送信される操作信号の受信を拒否するよう信号受送信部１０を設定する（Ｓ１４）。
【００４０】
図５Ｃは、本発明の実施の形態に係るリモコン装置の動作を示すフローチャートである。以下の説明は、図５ＡのＳ８における動作の詳細である。
【００４１】
Ｓ７において、リモコン１は、信号受送信部１０を介してＰＣ２から照合結果を受信し、受信した照合結果が操作キー有効化信号である場合（Ｓ２０）、操作キー制御部１１ａは、操作キー有効化信号に基づいて操作キー１３の操作を有効にする（Ｓ２１）。
【００４２】
また、受信した照合結果が操作キー無効化信号である場合（Ｓ２０）、操作キー制御部１１ａは、操作キー無効化信号に基づいて操作キー１３の操作を有効にしない（Ｓ２２）。
【００４３】
（効  果）
上記した実施の形態によると、ＰＣ２が生体認証ＤＢ２５ａを格納し、リモコン１の生体認証部１２で入力された指紋情報をＰＣ２の認証部２１ａによって認証するため、リモコン１とＰＣ２の対応を一対一の関係で特定でき、リモコン１の操作先であるＰＣ２の操作内容を制限することができるため、セキュリティが向上する。また、認証が成功しない限りはリモコン１の操作キー１３の操作は無効であり、認証が成功するまではＰＣ２はもちろんＰＣ２以外の他の電子機器の操作もできず、操作および被操作の対応を無視したリモコン１の不正操作を防止できる。
【００４４】
なお、本実施の形態において示した生体認証部１２の形式、信号受送信部１０および２０の通信方式、および生体情報ＤＢ２５ａの項目は一例であり、本発明の趣旨を逸脱しない範囲で変更可能である。
【００４５】
例えば、生体認証部１２として、声紋認証、網膜認証、静脈認証、顔認証等を用いることができる。また、信号受送信部１０および２０の通信方式としては双方向通信であれば良く、赤外線通信部１０Ａおよび赤外線通信部２０Ａ以外に、無線ＬＡＮやＢｌｕｅｔｏｏｔｈ等の通信方式を用いた通信部を用意してもよい。
【００４６】
また、生体情報ＤＢ２５ａの項目として、操作キー１３の操作が有効となるアプリケーションを限定してもよい。例えば、ミュージックファイルの再生、およびビデオファイルの再生のみをリモコン１によって操作有効として、他の機能を操作無効とすることができる。
【００４７】
また、生体認証部１２、および生体認証部２２は、ＰＣ２の実行の際にパスワードを求められる場合、指紋認証を行ってパスワード入力の代わりにしてもよい。
【図面の簡単な説明】
【００４８】
【図１】本発明の実施の形態に係る電子機器としてのＰＣとリモコン装置を示す概略図である。
【図２】（ａ）および（ｂ）は、本発明の実施の形態に係るＰＣとリモコン装置を示す概略ブロック図である。
【図３】本発明の実施の形態に係る生体情報ＤＢを概略的に示す図表である。
【図４】（ａ）〜（ｄ）は、本発明の実施の形態に係るリモコン装置の表示部に表示される表示例を示す概略図である。
【図５Ａ】本発明の実施の形態に係るＰＣおよびリモコン装置の動作を示すフローチャートである。
【図５Ｂ】本発明の実施の形態に係るＰＣの動作を示すフローチャートである。
【図５Ｃ】本発明の実施の形態に係るリモコン装置の動作を示すフローチャートである。
【符号の説明】
【００４９】
１…リモコン、２…ＰＣ、２Ａ…下部筐体、２Ｂ…上部筐体、２Ｃ…ヒンジ部、３…指、１０…信号受送信部、１０Ａ…赤外線通信部、１１…制御部、１１ａ…操作キー制御部、１２…生体認証部、１３…操作キー、１４…表示部、２０…信号受送信部、２０Ａ…赤外線通信部、２１…制御部、２１ａ…認証部、２２…生体認証部、２３…チューナ、２４…操作部、２４ａ…キーボード、２４ｂ…トラックパッド、２４ｃ…電源スイッチ、２５…記憶部、２５ａ…生体情報ＤＢ、２６…表示部、２７…音声出力部、２７ａ…スピーカ、１４０…メッセージ、１４１…メッセージ、１４２…メッセージ、１４３…接続機器アイコン、１４４…メッセージ、２５０…生体情報、２５１…生体情報
【図１】
2009010867.tif 000003
【図２】
2009010867.tif 000004
【図３】
2009010867.tif 000005
【図４】
2009010867.tif 000006
【図５Ａ】
2009010867.tif 000007
【図５Ｂ】
2009010867.tif 000008
【図５Ｃ】
2009010867.tif 000009